(57)【要約】【課題】電線接続部に対する防水性能の向上を図ったテーピング装置を提供する。【解決手段】順次繰り出し供給されて所定長さに裁断される粘着テープ片の下方位置で、かつテーピングホイール体１８のテープ巻き用溝部１８ａの開放端近くに、互いに接近離隔操作自在で、その接近状態で電線の電線接続部を押し込み操作自在な押し込み凹溝部２５ｂをテープ巻き用溝部１８ａの配置方向に沿って形成する対の凹溝構成部材２５が備えられる。対の凹溝構成部材２５の離隔状態で、シール剤および電線接続部を覆って補助テープ片が貼着された粘着テープ片が、テーピングホイール体１８のテープ巻き用溝部１８ａ内に通過可能とされている。【選択図】図２
2008198403.tif 000002
【特許請求の範囲】
【請求項１】
順次繰り出されて所定長さに裁断された粘着テープ片上に、シール剤が定量供給されると共に互いに接続された電線の電線接続部が配置され、さらにこれらシール剤および電線接続部を覆って補助テープ片が貼着された状態で、テーピングホイール体に形成されたテープ巻き用溝部内に押し込まれ、テーピングホイール体の回転により粘着テープ片が巻き付き処理されて電線接続部を防水状態で封止するテーピング装置において、
前記粘着テープ片の下方位置で、かつ前記テーピングホイール体の前記テープ巻き用溝部の開放端近くに、互いに接近離隔操作自在で、その接近状態で前記電線接続部を押し込み操作自在な押し込み凹溝部をテープ巻き用溝部の配置方向に沿って形成する対の凹溝構成部材が備えられると共に、この対の凹溝構成部材の離隔状態で、前記シール剤および前記電線接続部を覆って前記補助テープ片が貼着された前記粘着テープ片が、テーピングホイール体のテープ巻き用溝部内に通過可能とされていることを特徴とするテーピング装置。
【請求項２】
請求項１に記載のテーピング装置において、
前記繰り出された粘着テープ片の繰り出し側端部を、上方から解除操作自在に押さえるテープ押さえ部材が配設されていることを特徴とするテーピング装置。
【請求項３】
請求項１または請求項２に記載のテーピング装置において、
前記対の凹溝構成部材によって形成された前記押し込み凹溝部に、前記電線の前記電線接続部が押し込み操作された状態の電線を、前記テーピングホイール体の一側部で解除自在に保持する電線保持具が備えられていることを特徴とするテーピング装置。
【請求項４】
請求項１ないし請求項３のいずれかに記載のテーピング装置において、
前記粘着テープ片上に、前記シール剤および前記電線接続部を覆って前記補助テープ片が載置された状態で、補助テープ片の周縁部を上方から押し付ける押さえ治具が備えられていることを特徴とするテーピング装置。
【発明の詳細な説明】
【技術分野】
【０００１】
この発明は、ワイヤーハーネス等における電線の互いに接続された電線接続部を防水状態で封止するテーピング装置に関するものである。
【背景技術】
【０００２】
ワイヤーハーネス等で、被覆を剥取った電線端部を互いに接続した電線接続部（スプライス部）に、絶縁性や防水性を確保する目的で、粘着テープを巻き付けるテーピング装置がある（例えば、特許文献１および特許文献２参照）。
【０００３】
しかしながら、単に、電線接続部に粘着テープを巻き付けるだけでは、巻き付けた粘着テープの隙間から毛管現象等によって水が浸入するおそれがあるため、電線接続部に防水性のシール剤を供給した状態で、粘着テープを巻き付ける方法も提案されている（例えば、特許文献３参照）。
【０００４】
例えば、図１３に示されるように、テープ巻き用溝部１ａが形成されたテーピングホイール体１上に、テープ供給部２から粘着テープ３が順次繰り出されると共に、所定長さに裁断される。この裁断された粘着テープ片３ａ上に、シール剤吐出器４から所定量のシール剤５が供給される。
【０００５】
一方、互いに接続された電線６の電線接続部６ａ上に、粘着テープ片３ａよりも小さなサイズの補助テープ片７を貼着し、この補助テープ片７が貼着された電線接続部６ａを、粘着テープ片３ａ上のシール剤５に押し付け、電線接続部６ａおよびシール剤５が粘着テープ片３ａと補助テープ片７とで挟まれた状態で、テーピングホイール体１のテープ巻き用溝部１ａ内に押し込まれる。なお、粘着テープ片３ａのシール剤５上に電線接続部６ａをセットした後、電線接続部６ａやシール剤５部分を覆って補助テープ片７を貼着し、その後、テーピングホイール体１のテープ巻き用溝部１ａ内に押し込んでもよい。
【０００６】
この状態で、テーピングホイール体１が所定回数回転されると、粘着テープ片３ａが電線接続部６ａやその近傍の被覆を有する電線６部分に巻き付き処理されて、最終的に、粘着テープ片３ａが電線接続部６ａを防水状態で封止したテーピング状態が得られる方法とされていた。
【０００７】
【特許文献１】特開平１０−８７１８４号公報
【特許文献２】特開平１０−１２０３１２号公報
【特許文献３】特開平４−３３４９１７号公報
【発明の開示】
【発明が解決しようとする課題】
【０００８】
しかしながら、上記従来のテーピング方法によれば、電線接続部６ａ上の補助テープ片７を貼着した状態でシール剤５に押し付ける方法や、シール剤５上に電線接続部６ａをセットしてさらに補助テープ片７を貼着する方法であるため、図１４に示されるように、各電線６と補助テープ片７との相互間にシール剤５が回り込みにくい場所８が生じており、電線接続部６ａの全周囲にわたるシール剤５の供給が難しく、このような場所８を通じて電線接続部６ａに水が浸入し腐食するおそれがあった。
【０００９】
そこで、本発明は、電線接続部に対する防水性能の向上を図ったテーピング装置を提供することを目的とする。
【課題を解決するための手段】
【００１０】
上記課題を解決するための技術的手段は、順次繰り出されて所定長さに裁断された粘着テープ片上に、シール剤が定量供給されると共に互いに接続された電線の電線接続部が配置され、さらにこれらシール剤および電線接続部を覆って補助テープ片が貼着された状態で、テーピングホイール体に形成されたテープ巻き用溝部内に押し込まれ、テーピングホイール体の回転により粘着テープ片が巻き付き処理されて電線接続部を防水状態で封止するテーピング装置において、前記粘着テープ片の下方位置で、かつ前記テーピングホイール体の前記テープ巻き用溝部の開放端近くに、互いに接近離隔操作自在で、その接近状態で前記電線接続部を押し込み操作自在な押し込み凹溝部をテープ巻き用溝部の配置方向に沿って形成する対の凹溝構成部材が備えられると共に、この対の凹溝構成部材の離隔状態で、前記シール剤および前記電線接続部を覆って前記補助テープ片が貼着された前記粘着テープ片が、テーピングホイール体のテープ巻き用溝部内に通過可能とされている点にある。
【００１１】
また、前記繰り出された粘着テープ片の繰り出し側端部を、上方から解除操作自在に押さえるテープ押さえ部材が配設されている構造としてもよい。
【００１２】
さらに、前記対の凹溝構成部材によって形成された前記押し込み凹溝部に、前記電線の前記電線接続部が押し込み操作された状態の電線を、前記テーピングホイール体の一側部で解除自在に保持する電線保持具が備えられている構造としてもよい。
【００１３】
また、前記粘着テープ片上に、前記シール剤および前記電線接続部を覆って前記補助テープ片が載置された状態で、補助テープ片の周縁部を上方から押し付ける押さえ治具が備えられている構造としてもよい。
【発明の効果】
【００１４】
本発明のテーピング装置によれば、粘着テープ片の下方位置で、かつテーピングホイール体のテープ巻き用溝部の開放端近くに、互いに接近離隔操作自在で、その接近状態で電線接続部を押し込み操作自在な押し込み凹溝部をテープ巻き用溝部の配置方向に沿って形成する対の凹溝構成部材が備えられると共に、この対の凹溝構成部材の離隔状態で、シール剤および電線接続部を覆って補助テープ片が貼着された粘着テープ片が、テーピングホイール体のテープ巻き用溝部内に通過可能とされているため、接近状態の対の凹溝構成部材上に粘着テープ片が供給されると共にその粘着テープ片上にシール剤が定量供給された状態で、電線接続部をシール剤の上方よりシール剤および粘着テープ片と共に押し込み凹溝部内に押し込み操作すれば、電線接続部の押し込み凹溝部内への移動に伴ってシール剤が電線接続部の上部へ流れ込む。この状態で、補助テープ片を所定位置に貼着し、その後、対の凹溝構成部材の離隔状態となった際に、これら補助テープ片が貼着されたシール剤、電線接続部および粘着テープ片を、テーピングホイール体のテープ巻き用溝部内に押し込み、テーピングホイール体が回転すれば、電線接続部に粘着テープ片が巻き付き処理されて防水状態で封止されたテーピング状態が得られる。そして、電線接続部の押し込み凹溝部内への押し込み操作により、シール剤が電線接続部の上部へも流れ込むため、電線接続部の周囲に隙間なくシール剤が供給でき、信頼性の高い防水性能が確保できる利点がある。
【００１５】
また、繰り出された粘着テープ片の繰り出し側端部を、上方から解除操作自在に押さえるテープ押さえ部材が配設されている構造とすれば、電線接続部を押し込み凹溝部内に押し込む際に粘着テープ片の繰り出し側端部の浮き上がりや位置ズレが有効に防止でき、後工程の作業性向上が図れる。
【００１６】
さらに、対の凹溝構成部材によって形成された押し込み凹溝部に、電線の電線接続部が押し込み操作された状態の電線を、テーピングホイール体の一側部で解除自在に保持する電線保持具が備えられている構造とすれば、押し込み操作後の電線接続部の位置ズレや浮き上がりが有効に防止でき、補助テープ片を貼着する際の作業性が向上する。
【００１７】
また、粘着テープ片上に、シール剤および電線接続部を覆って補助テープ片が載置された状態で、補助テープ片の周縁部を上方から押し付ける押さえ治具が備えられている構造とすれば、補助テープ片のしわの発生が有効に防止できると共に、補助テープ片の周縁部と粘着テープ片との良好な貼着状態が得られ、しわ等によるそれら相互間の隙間等の発生によるシール剤の外部への流出が有効に防止でき、この点からも信頼性の高い防水性能が発揮できるという利点がある。
【発明を実施するための最良の形態】
【００１８】
以下、本発明の実施形態を図面に基づいて説明すると、図１はテーピング装置１１の概略構成を示す側面図であり、図２ないし図６はその要部を示し、図７ないし図１２はテーピング工程説明図を示している。
【００１９】
テーピング装置１１は、特許文献１や特許文献２に開示の装置と同様、粘着テープ１２が巻き収容状態とされているテープリール１３が着脱自在に支持されるテープホルダ部１４と、テープリール１３から粘着テープ１２を順次繰り出すためのテープ供給部１５と、テープ供給部１５によって繰り出された粘着テープ１２を所定長さに裁断するテープ裁断部１６と、図７ないし図１２に示されるように、裁断された粘着テープ片１２ａを電線１７の電線接続部１７ａに巻き付け処理するためのテーピングホイール体１８と、粘着テープ片１２ａの所定位置に所定量のシール剤１９を供給するためのシール剤吐出器２０と、繰り出された粘着テープ片１２ａの繰り出し側端部を上方から解除自在に押さえるテープ押さえ部材２１と、図１０の仮想線で示されるように、シール剤１８や電線接続部１７ａを覆って粘着テープ片１２ａ上に載置される補助テープ片２２の周縁部を上方から適宜押圧力で押し付ける押さえ治具２３と、テーピングホイール体１８等を駆動制御する図示省略の駆動ユニットを備えている。
【００２０】
なお、図１においては、周知の装置と同様に、複数のテープリール１３が支持可能で、択一的もしくは重合状として粘着テープ１２を供給可能な構造を示しているが、単一のテープリール１３を支持する構造であってもよい。また、テープ供給部１５やテープ裁断部１６やシール剤吐出器２０の各構成は、周知の構成と同様であるので、それらの説明は省略する。さらに、シール剤吐出器２０によって供給されるシール剤１９もシリコーン樹脂等、従来用いられている同様のシール剤１９を適宜採用すればよい。
【００２１】
前記テーピングホイール体１８には、図２ないし図４、図６に示されるように、従来同様、テープ巻き用溝部１８ａが構成されており、テープ巻き用溝部１８ａの対向面には、テーピングホイール体１８の回転駆動による粘着テープ片１２ａの巻き付け処理に寄与するための適宜長さを有するブラシ体２４が適宜、突設配置されている。
【００２２】
そして、テープ巻き用溝部１８ａの開放端近くの上部には、対の凹溝構成部材２５が互いに接近離隔操作自在に備えられた構造とされている。即ち、テーピングホイール体１８におけるテープ巻き用溝部１８ａの配置方向中央部には、外周部で支軸部２６を介して揺動自在に支持された揺動アーム体２７がそれぞれ備えられており、各揺動アーム体２７の上部に各凹溝構成部材２５が六角穴付ボルト２８等により着脱自在に固定された構造とされている。
【００２３】
また、各揺動アーム体２７の下部は、図４に示されるように、二叉状に構成され、その二股部２７ａの内面側に対向するテーピングホイール体１８の対向面部１８ｂには、図２に示されるように、バネ収容凹部１８ｃがそれぞれ形成されている。そして、各バネ収容凹部１８ｃと各揺動アーム体２７の下部内面側との相互間に復帰バネ２９が圧縮状にそれぞれ装着されている。なお、バネ収容凹部１８ｃは互いに重ならない位置となるように位置ズレ状に配置されている。
【００２４】
そして各復帰バネ２９による弾発付勢力により、各揺動アーム体２７の下部が外向きに常時付勢され、この付勢力により、各揺動アーム体２７が支軸部２６回りに回動付勢され、両凹溝構成部材２５が互いに接近操作される構造とされている。
【００２５】
各凹溝構成部材２５は、互いに対向する対向面の上部側に凹状の切欠段部２５ａがそれぞれテープ巻き用溝部１８ａの配置方向に沿って形成されており、両凹溝構成部材２５の接近状態で、両切欠段部２５ａにより電線接続部１７ａが押し込み操作される適宜溝幅と適宜溝深さを有する押し込み凹溝部２５ｂが、テープ巻き用溝部１８ａの配置方向に沿って形成される構造とされている。
【００２６】
また、各揺動アーム体２７の下部の二股部２７ａ間にわたって、それぞれローラ体３０が転動自在に支持されており、各ローラ体３０の下方位置に対応して、揺動アーム操作部材３１が昇降操作自在に配置されている。この揺動アーム操作部材３１は、下方向に互いに内向きに傾斜するローラ体操作面３１ａがそれぞれ備えられており、揺動アーム操作部材３１の上昇操作により、各揺動アーム体２７の各ローラ体３０が、ローラ体操作面３１ａに沿って相対的に転動し、図６に示されるように、各復帰バネ２９の弾発付勢力に抗して各揺動アーム体２７が支軸部２６回りに揺動操作され、両凹溝構成部材２５が離隔操作されるように構成されている。そして、この両凹溝構成部材２５の離隔状態においては、押し込み凹溝部２５ｂが開放状とされて、両凹溝構成部材２５間を通じて、テープ巻き用溝部１８ａが外部に連通状となる構造とされている。
【００２７】
一方、揺動アーム操作部材３１の上昇位置より揺動アーム操作部材３１が下降操作されれば、各復帰バネ２９に蓄勢された弾発付勢力により、図２に示されるように、両凹溝構成部材２５が接近状態とされて押し込み凹溝部２５ｂが形成される初期位置に復帰するように構成されている。
【００２８】
また、図３に示されるように、テーピングホイール体１８におけるテープ巻き用溝部１８ａの配置方向一側方には、ホイールカバー体３２がテーピング装置１１の本体に着脱自在に装着されており、図５にも示されるように、ホイールカバー体３２には、テーピングホイール体１８のテープ巻き用溝部１８ａと前記配置方向に連通状となる電線挿入溝３２ａが対応して形成されている。
【００２９】
そして、ホイールカバー体３２の電線挿入溝３２ａ位置に対応した内面側には、電線挿入溝３２ａの周囲に沿った保持具収容凹部３２ｂが形成されており、この保持具収容凹部３２ｂに、対となる電線保持具３３が収容されている。各電線保持具３３は保持具収容凹部３２ｂの下部で支軸部３４回りに揺動自在に支持され、互いに対向する電線保持具３３の一方の下部には、係合突部３３ａが突設状に備えられ、対向する他方の電線保持具３３の下部には、前記係合突部３３ａが相対摺動自在に嵌合される係合凹部３３ｂが備えられた構造とされている。
【００３０】
また、保持具収容凹部３２ｂの一方の壁部の高さ方向中間部には、スプリングプランジャ３５の押動ピン３５ａが突出状に配設されている。この押動ピン３５ａによる一方の電線保持具３３の電線挿入溝３２ａ方向の弾発付勢により、前記係合突部３３ａと係合凹部３３ｂとの連動機構を介して、両電線保持具３３の上部がそれぞれの支軸部３４回りに回動付勢され、両電線保持具３３の上端部が電線挿入溝３２ａ内に突出して互いに接離自在に当接した構造とされている。そして、この押動ピン３５ａの付勢力に抗して電線保持具３３の上部に互いに離反する方向の力が作用すれば、両電線保持具３３の上端部の当接部分が離反される構造とされている。なお、この両電線保持具３３による当接位置は、側方の両凹溝構成部材２５が接近状態とされている位置と略同じ高さとなる適宜位置に調整されている。
【００３１】
さらに、テーピングホイール体１８におけるテープ巻き用溝部１８ａの配置方向他側方には、従来同様、テーピングホイール体１８を回転駆動するための駆動機構が適宜備えられており、所定のタイミングでテーピングホイール体１８が適宜回数、所定の方向に回転駆動されるように構成されている。
【００３２】
前記テープ押さえ部材２１は、図２および図３に示されるように、ピン状に構成されており、側面視クランク状に構成された支持レバー体３７の上部の両側部にそれぞれ取り付け支持されている。そして、支持レバー体３７の下部が支軸部３８により軸支され、その下部に突設された操作部３７ａが連動機構等を介してエアシリンダ等のアクチュエータに連結され、操作部３７ａの押し引き操作により、支持レバー体３７が支軸部３８回りに回動操作されて、図２に実線で示されるように、テーピングホイール体１８から離隔するテープ押さえ部材２１の待機姿勢と、凹溝構成部材２５の上面部に回動操作された図２や図３の仮想線で示されるテープ押さえ部材２１の押さえ姿勢とに姿勢変更操作自在に構成されている。
【００３３】
また、図３に示されるように、両テープ押さえ部材２１間の中央部に位置して、支持レバー体３７にピン状の位置合わせガイド３９が取り付け支持されている。この位置合わせガイド３９はテープ押さえ部材２１よりも若干短く形成されており、本実施形態では、粘着テープ片１２ａの繰り出し側端部に至らない程度の長さとされている。
【００３４】
前記シール剤吐出器２０は、テーピング装置１１にエアシリンダ等のアクチュエータにより昇降操作自在に支持されており、上位の待機位置から下位のシール剤供給位置に下降操作された状態で、所定量のシール剤１９を供給し、その後、上昇操作されて待機位置に戻されるように制御されるように構成されている。また、このシール剤吐出器２０によるシール剤１９の供給位置は、繰り出し供給された粘着テープ片１２ａの幅方向中央位置で、かつ押し込み凹溝部２５ｂの上方位置に対応するように設定されている。
【００３５】
また、前記押さえ治具２３は、ゴム等の弾性体により構成され、シール剤吐出器２０のノズル部２０ａが挿通状とされる挿通孔２３ａが中央部に形成された矩形環状に形成されている。そして、押さえ治具２３は、シール剤吐出器２０側に、エアシリンダ等のアクチュエータ等を介して支持され、シール剤吐出器２０の昇降操作に伴って昇降操作されるだけでなく、シール剤吐出器２０とは独立して昇降操作可能に構成されている。
【００３６】
補助テープ片２２は、従来同様、粘着テープ片１２ａよりも小さい適宜長さおよび幅を有しており、テーピングホイール体１８の一側方等に適宜配置された補助テープ供給装置により、所定の長さに切断された状態で順次繰り出し供給される。
【００３７】
本実施形態は以上のように構成されており、このテーピング装置１１によるテーピング作業を説明すると、従来同様、テープ供給部１５を通じてテープリール１３から粘着テープ１２が所定の案内路に沿って順次繰り出され、テーピングホイール体１８上に所定長さ供給された状態で、テープ裁断部１６によって裁断される。ここに、図７に示されるように、テーピングホイール体１８および対の凹溝構成部材２５上の所定位置に、所定長さに裁断された粘着テープ片１２ａが載置上に供給された状態が得られる。なお、各テープホルダ部１４にそれぞれテープリール１３が支持されていることから、従来同様、繰り出される粘着テープ１２を択一的に繰り出したり、重複状態で繰り出すことが可能とされている。
【００３８】
次に、図８に示されるように、支持レバー体３７が操作されて、テープ押さえ部材２１が待機姿勢から押さえ姿勢に姿勢変更されると共に、シール剤吐出器２０が待機位置からシール剤供給位置に下降操作される。そして、シール剤吐出器２０の下降後、シール剤吐出器２０のノズル部２０ａからシール剤１９が、粘着テープ片１２ａ上の所定位置に定量供給される。この際、シール剤１９は、粘着テープ片１２ａの幅方向中央部で、押し込み凹溝部２５ｂの配置方向中央部に対応して供給されるように構成されており、位置合わせガイド３９はその供給位置に対応するように配置されている。
【００３９】
シール剤１９の定量供給後、シール剤吐出器２０は上昇操作されて待機位置に戻される。その後、従来同様、互いに接続された電線１７の電線接続部１７ａを、粘着テープ片１２ａ上のシール剤１９に押し付けて押し込み凹溝部２５ｂ内に押し込み操作する。この際、位置合わせガイド３９を基準として、シール剤１９上に電線接続部１７ａを位置合わせして押し込み操作すればよい。この電線接続部１７ａの押し込み凹溝部２５ｂへの押し込み操作により、粘着テープ片１２ａが押し込み凹溝部２５ｂ内へ移動し、この移動に伴ってシール剤１９が電線接続部１７ａの上部へ自然に流れ込み、図９に示されるような状態が得られる。
【００４０】
また、電線接続部１７ａの押し込み凹溝部２５ｂ内への押し込み操作に際して、一側の電線１７は、互いに当接状態とされている対の電線保持具３３間を通過する。この電線１７の通過後、両電線保持具３３はスプリングプランジャ３５の弾発付勢力により初期の当接状態に戻される。従って、電線接続部１７ａを押し込み凹溝部２５ｂ内に押し込み操作した後に電線１７から手を離しても、電線１７は両電線保持具３３の当接位置部分で保持される。
【００４１】
この状態で、図１０に示されるように、補助テープ供給装置により繰り出し供給された補助テープ片２２を取り、シール剤１９部分および電線接続部１７ａ部分を覆って補助テープ片２２を、粘着テープ片１２ａ上に貼着する。この際、位置合わせガイド３９を基準として、補助テープ片２２を位置合わせして貼着すればよい。その後、押さえ治具２３を下降操作すれば、押さえ治具２３によって補助テープ片２２の周縁部が粘着テープ片１２ａ側に所定の押圧力で押し付けられ、その後、上昇操作されて初期位置に退避される。
【００４２】
押さえ治具２３の退避後、揺動アーム操作部材３１が上昇操作される。この揺動アーム操作部材３１の上昇操作により、図１１に示されるように、各揺動アーム体２７が揺動操作されて、両凹溝構成部材２５が離隔操作される。そして、両凹溝構成部材２５が離隔状態とされた段階で、電線接続部１７ａをさらにテープ巻き用溝部１８ａ内に押し込み操作することによって、補助テープ片２２が貼着された粘着テープ片１２ａがシール剤１９および電線接続部１７ａと共にテープ巻き用溝部１８ａ内に押し込まれた状態が得られる。
【００４３】
この電線接続部１７ａのテープ巻き用溝部１８ａ内押し込み後、揺動アーム操作部材３１が下降操作される。この揺動アーム操作部材３１の下降操作により、各揺動アーム体２７が初期位置に戻されて、両凹溝構成部材２５が接近状態に戻される。そして、揺動アーム操作部材３１の下降操作後、テーピングホイール体１８が所定方向に所定回数回転駆動され、その後停止する。このテーピングホイール体１８の回転駆動により、図１２に示されるように、粘着テープ片１２ａにより電線接続部１７ａやその近傍の被覆を有する電線１７部分、シール剤１９および補助テープ片２２の周囲に巻き付き処理された状態が得られ、ここに、粘着テープ片１２ａで電線接続部１７ａを防水状態で封止したテーピング状態が得られる。
【００４４】
そして、テーピングホイール体１８の停止後、図１２に示されるように、揺動アーム操作部材３１が再度、上昇操作されて、両凹溝構成部材２５が離隔操作される。この凹溝構成部材２５の離隔状態で、テーピングされた電線接続部１７ａをテープ巻き用溝部１８ａから取り出せば、一連のテーピング作業が終了する。以下、同様の作業を繰り返せば、電線接続部１７ａに粘着テープ片１２ａがテーピングされた電線１７が順次得られる。
【００４５】
以上のように、本実施形態によれば、粘着テープ片１２ａ上にシール剤１９が定量供給された状態で、電線１７の電線接続部１７ａをシール剤１９の上方より押し込み凹溝部２５ｂ内に押し込み操作することによって、シール剤１９が電線接続部１７ａの上部側にも有効に流れ込むため、電線接続部１７ａの周囲に隙間なくシール剤１９が供給でき、粘着テープ片１２ａが巻き付き処理された際に、良好な防水状態で封止されたテーピング状態が得られ、信頼性（気密性）の高い防水性能が確保できる利点がある。
【００４６】
また、繰り出された粘着テープ片１２ａの繰り出し側端部を、テープ押さえ部材２１で押さえる構造としているため、電線接続部１７ａを押し込み凹溝部２５ｂ内に押し込む際に粘着テープ片１２ａの繰り出し側端部の浮き上がりや位置ズレが有効に防止でき、その後の作業性向上が図れる。
【００４７】
さらに、テープ押さえ部材２１に位置合わせガイド３９が備えられているため、位置合わせガイド３９を基準に電線接続部１７ａを位置合わせして押し込み凹溝部２５ｂ内に押し込み操作でき、電線接続部１７ａの配置位置の位置ズレが容易に防止できて、この点からも信頼性の高い防水性能が発揮できると共に作業性が向上する利点がある。
【００４８】
また、補助テープ片２２を電線接続部１７ａやシール剤１９を覆って粘着テープ片１２ａに貼り付ける際にも、位置合わせガイド３９を基準に補助テープ片２２を位置合わせして粘着テープ片１２ａ上に貼り付ければよく、補助テープ片２２の貼り付け位置の位置ズレも容易に防止でき、この点からも信頼性の高い防水性能が発揮できると共に作業性が向上する利点がある。
【００４９】
さらに、テーピングホイール体１８の一側方に、押し込み凹溝部２５ｂに対して電線接続部１７ａが押し込み操作された際に、電線１７を保持する電線保持具３３が備えられているため、補助テープ片２２を貼り付ける際において、電線接続部１７ａの位置ズレや浮き上がりが有効に防止でき、補助テープ片２２を貼り付ける際の作業性が向上する。
【００５０】
また、補助テープ片２２の周縁部を粘着テープ片１２ａに押し付ける押さえ治具２３が備えられているため、予め、押さえ治具２３により補助テープ片２２の周縁部を押さえ付けておくことにより、補助テープ片２２のしわの発生が有効に防止できると共に、補助テープ片２２の周縁部と粘着テープ片１２ａとの良好な貼着状態が得られ、粘着テープ片１２ａの巻き付き処理の際、しわ等によるそれら相互間の隙間等の発生によるシール剤の外部への流出が有効に防止でき、この点からも信頼性の高い防水性能が発揮できるという利点がある。
【００５１】
さらに、各揺動アーム体２７に対して各凹溝構成部材２５が六角穴付ボルト２８等により着脱自在とされているため、各種溝幅や溝深さとなる押し込み凹溝部２５ｂを形成する対の凹溝構成部材２５を準備することによって、電線接続部１７ａの形状や大きさ等に応じて、適宜、対の凹溝構成部材２５を交換することにより、各種の電線接続部１７ａに容易に対応できる。
【００５２】
なお、電線１７の電線接続部１７ａは、端子金具によるものの他、抵抗溶接やはんだ付け等によるものであってもよい。
【００５３】
また、対の凹溝構成部材２５をテーピングホイール体１８に支持した構造のものを開示されているが、テーピングホイール体１８におけるテープ巻き用溝部１８ａの開放端の上部近傍に位置して、対の凹溝構成部材２５をテーピング装置１１の本体側に接近離隔操作自在に配置する構造としてもよい。
【図面の簡単な説明】
【００５４】
【図１】本発明の実施形態に係るテーピング装置の概略側面図である。
【図２】同要部側面説明図である。
【図３】テーピングホイール体部分の平面説明図である。
【図４】テーピングホイール体部分の正面説明図である。
【図５】ホイールカバー体部分の側面説明図である。
【図６】テーピングホイール体の動作説明図である。
【図７】テーピング工程説明図である。
【図８】テーピング工程説明図である。
【図９】テーピング工程説明図である。
【図１０】テーピング工程説明図である。
【図１１】テーピング工程説明図である。
【図１２】テーピング工程説明図である。
【図１３】従来のテーピング工程説明図である。
【図１４】従来方法によるテーピング工程途中の要部断面説明図である。
【符号の説明】
【００５５】
１１  テーピング装置
１２  粘着テープ
１２ａ  粘着テープ片
１７  電線
１７ａ  電線接続部
１８  テーピングホイール体
１８ａ  テープ巻き用溝部
１９  シール剤
２０  シール剤吐出器
２１  テープ押さえ部材
２２  補助テープ片
２３  押さえ治具
２５  凹溝構成部材
２５ｂ  押し込み凹溝部
３３  電線保持具
３９  位置合わせガイド
【図１】
2008198403.tif 000003
【図２】
2008198403.tif 000004
【図３】
2008198403.tif 000005
【図４】
2008198403.tif 000006
【図５】
2008198403.tif 000007
【図６】
2008198403.tif 000008
【図７】
2008198403.tif 000009
【図８】
2008198403.tif 000010
【図９】
2008198403.tif 000011
【図１０】
2008198403.tif 000012
【図１１】
2008198403.tif 000013
【図１２】
2008198403.tif 000014
【図１３】
2008198403.tif 000015
【図１４】
2008198403.tif 000016